(57)【要約】【課題】各種設定作業等をユーザに強いることなく、ユーザがその時に必要としていると思われるコンテンツのみを転送すること等を可能とした情報処理装置を提供する。【解決手段】自動転送／自動録画予約制御モジュール１３１は、まず、保有しているコンテンツ（放送番組データ）の番組情報を外部デバイス（携帯電話機２）から取得する。この取得した番組情報に基づき、自動転送／自動録画予約制御モジュール１３１は、録画領域から同名の番組を検索する。録画日時の新しい同名のコンテンツが存在した場合、自動転送／自動録画予約制御モジュール１３１は、例えば、（１）すべて、（２）放送日時の最も新しいもの、（３）放送日時の最も古いもの、等の事前の設定に基づき、その中から転送すべきコンテンツを選定して外部デバイスに転送する。【選択図】図３
2011166688.tif 000002
【特許請求の範囲】
【請求項１】
放送番組データを格納する記憶装置と、
外部デバイスとの通信を実行する通信装置と、
前記通信装置との間で接続が確立された外部デバイスから当該外部デバイスが保持する放送番組データの番組情報を取得する番組情報取得手段と、
前記番組情報取得手段によって取得された番組情報で示される番組と同一の番組の放送番組データであって、同番組情報で示される放送日時よりも新しい放送日時の放送番組データを前記記憶装置から前記外部デバイスに転送する自動転送手段と、
を具備することを特徴とする情報処理装置。
【請求項２】
前記自動転送手段は、前記外部デバイスに転送した放送番組データを前記記憶装置から削除することを特徴とする請求項１記載の情報処理装置。
【請求項３】
前記自動転送手段は、前記外部デバイスに放送番組データを転送した後、当該放送番組データと同一の番組の放送番組データであって、当該放送番組データよりも古い放送日時の放送番組データを削除する指示を前記外部デバイスに対して送信することを特徴とする請求項１記載の情報処理装置。
【請求項４】
前記自動転送手段は、前記取得された番組情報で示される放送日時よりも新しい放送日時の放送番組データが複数ある場合、（１）すべてを転送する、（２）放送日時の最も新しいものを転送する、（３）放送日時の最も古いものを転送する、のいずれかを設定する設定手段を含むことを特徴とする請求項１記載の情報処理装置。
【請求項５】
前記自動転送手段は、前記取得された番組情報で示される放送日時よりも新しい放送日時の放送番組データが複数ある場合、当該放送番組データのすべてを転送することを特徴とする請求項１記載の情報処理装置。
【請求項６】
前記自動転送手段は、前記取得された番組情報で示される放送日時よりも新しい放送日時の放送番組データが複数ある場合、当該放送番組データの中から放送日時の最も新しい放送番組データを選択して転送することを特徴とする請求項１記載の情報処理装置。
【請求項７】
前記自動転送手段は、前記取得された番組情報で示される放送日時よりも新しい放送日時の放送番組データが複数ある場合、当該放送番組データの中から放送日時の最も古い放送番組データを選択して転送することを特徴とする請求項１記載の情報処理装置。
【請求項８】
電子番組表を取得する番組表取得手段と、
所望のチャンネルのテレビジョン放送信号を受信するためのチューナと、
予め指定された日時に予め指定されたチャンネルのテレビジョン放送信号を前記チューナに受信させ、当該受信されたテレビジョン放送信号によって搬送される放送番組データを取得して前記記憶装置に格納する録画処理を実行する録画手段と、
前記番組表取得手段によって取得された電子番組表の中から、前記番組情報取得手段によって取得された番組情報で示される番組を前記録画手段による録画処理の対象に設定する自動録画予約手段と、
をさらに具備することを特徴とする請求項１記載の情報処理装置。
【請求項９】
前記自動録画予約手段は、前記取得された番組情報で示される番組を録画予約する機能を有効または無効に設定する設定手段を含むことを特徴とする請求項８記載の情報処理装置。
【請求項１０】
前記通信装置は、近接無線通信を実行する通信モジュールであり、
外部デバイスと前記通信装置とが接近したことによって前記通信装置との間で接続が確立された場合に、前記番組情報の取得および前記放送番組データの自動転送を前記番組情報取得手段および前記自動転送手段に実行させる制御手段をさらに具備する、
ことを特徴とする請求項１記載の情報処理装置。
【請求項１１】
放送番組データを格納する記憶装置と、
外部デバイスとの通信を実行する通信装置と、
前記通信装置との間で接続が確立された外部デバイスから当該外部デバイスが保持する放送番組データの番組情報を取得する番組情報取得手段と、
電子番組表を取得する番組表取得手段と、
所望のチャンネルのテレビジョン放送信号を受信するためのチューナと、
予め指定された日時に予め指定されたチャンネルのテレビジョン放送信号を前記チューナに受信させ、当該受信されたテレビジョン放送信号によって搬送される放送番組データを取得して前記記憶装置に格納する録画処理を実行する録画手段と、
前記番組表取得手段によって取得された電子番組表の中から、前記番組情報取得手段によって取得された番組情報で示される番組を前記録画手段による録画処理の対象に設定する自動録画予約手段と、
を具備することを特徴とする情報処理装置。
【請求項１２】
前記自動録画予約手段は、前記取得された番組情報で示される番組を録画予約する機能を有効または無効に設定する設定手段を含むことを特徴とする請求項１１記載の情報処理装置。
【請求項１３】
前記通信装置は、近接無線通信を実行する通信モジュールであり、
外部デバイスと前記通信装置とが接近したことによって前記通信装置との間で接続が確立された場合に、前記番組情報の取得および前記自動録画予約を前記番組情報取得手段および前記自動録画予約手段に実行させる制御手段をさらに具備する、
ことを特徴とする請求項１１記載の情報処理装置。
【請求項１４】
放送番組データを格納する記憶装置と、外部デバイスとの通信を実行する通信装置とを有する情報処理装置におけるデータ転送制御方法であって、
前記通信装置との間で接続が確立された外部デバイスから当該外部デバイスが保持する放送番組データの番組情報を取得すること、
前記取得した番組情報で示される番組と同一の番組の放送番組データであって、同番組情報で示される放送日時よりも新しい放送日時の放送番組データを前記記憶装置から前記外部デバイスに転送すること、
を具備することを特徴とするデータ転送制御方法。
【請求項１５】
前記外部デバイスに転送した放送番組データを前記記憶装置から削除することをさらに具備することを特徴とする請求項１４記載のデータ転送制御方法。
【請求項１６】
前記外部デバイスに放送番組データを転送した後、当該放送番組データと同一の番組の放送番組データであって、当該放送番組データよりも古い放送日時の放送番組データを削除する指示を前記外部デバイスに対して送信することをさらに具備することを特徴とする請求項１４記載のデータ転送制御方法。
【請求項１７】
前記取得した番組情報で示される放送日時よりも新しい放送日時の放送番組データが複数ある場合、（１）すべてを転送する、（２）放送日時の最も新しいものを転送する、（３）放送日時の最も古いものを転送する、のいずれかを設定すること、をさらに具備することを特徴とする請求項１４記載のデータ転送制御方法。
【請求項１８】
前記情報処理装置は、所望のチャンネルのテレビジョン放送信号を受信するためのチューナと、予め指定された日時に予め指定されたチャンネルのテレビジョン放送信号を前記チューナに受信させ、当該受信されたテレビジョン放送信号によって搬送される放送番組データを取得して前記記憶装置に格納する録画処理を実行する録画手段とをさらに有し、
電子番組表を取得すること、
前記取得した電子番組表の中の前記取得した番組情報で示される番組を前記録画手段による録画処理の対象に設定すること、
をさらに具備することを特徴とする請求項１４記載のデータ転送制御方法。
【発明の詳細な説明】
【技術分野】
【０００１】
この発明は、テレビジョン放送信号によって搬送される放送番組データを視聴、録画および再生するＴＶ機能を搭載するパーソナルコンピュータ等に好適なデータ転送制御技術に関する。
【背景技術】
【０００２】
近年、ノートブックタイプやデスクトップタイプ等、様々なタイプのパーソナルコンピュータが広く用いられている。最近では、テレビジョン放送信号によって搬送される放送番組データを視聴、録画および再生するＴＶ機能を搭載するなど、パーソナルコンピュータの高機能化が進められている。
【０００３】
一方で、携帯電話機の高機能化も日々進められており、音楽コンテンツや動画像コンテンツを再生する機能を搭載することも一般的となりつつある。これに伴って、パーソナルコンピュータで録画した放送番組データを携帯電話機に取り込んで、当該放送番組データを携帯電話機で視聴するといった利用法も普及し始めている。例えば、毎朝放送されるニュース番組をパーソナルコンピュータで録画しておき、これを携帯電話機に取り込んで通勤中に視聴するといったことが行われている。
【０００４】
このようなことから、例えばパーソナルコンピュータと携帯電話機との間でコンテンツを効率的に転送するための仕組みなどが、これまでも種々提案されている（例えば特許文献１，２等参照）。
【０００５】
特許文献１は、端末装置１−ｎにより予約されたコンテンツを録画し、端末装置１−ｎのダウンロード時間が近づいてきたら、録画したコンテンツを送信メモリに記憶させ、端末装置１−ｎが装着された際、送信メモリに記憶されているコンテンツを送信する記憶装置２を開示する（例えば、要約書［解決手段］欄）。
【０００６】
また、特許文献２は、再生装置２が載置されると、再生装置２で削除されたコンテンツを削除し、一方、新たに記録されたコンテンツを再生装置２に転送する（つまり、再生装置２との間でコンテンツの同期を取る）記録装置１を開示する（例えば、要約書［解決手段］欄）。
【先行技術文献】
【特許文献】
【０００７】
【特許文献１】特開２００４−２５４１４３号公報
【特許文献２】特開２００６−９９９０１号公報
【発明の概要】
【発明が解決しようとする課題】
【０００８】
しかしながら、特許文献１で開示する手法では、ダウンロード時間の設定や録画予約の設定等、各種作業をユーザが行う必要があり、また、特許文献２で開示する手法では、ユーザがその時に（再生装置２側で）必要としていないコンテンツが存在しても、すべてが一律に転送されてしまう。
【０００９】
この発明は、このような事情を考慮してなされたものであり、各種設定作業等をユーザに強いることなく、ユーザがその時に必要としていると思われるコンテンツのみを転送すること等を可能とした情報処理装置および情報処理装置におけるデータ転送制御方法を提供することを目的とする。
【課題を解決するための手段】
【００１０】
この課題を解決するために、この発明の情報処理装置は、放送番組データを格納する記憶装置と、外部デバイスとの通信を実行する通信装置と、前記通信装置との間で接続が確立された外部デバイスから当該外部デバイスが保持する放送番組データの番組情報を取得する番組情報取得手段と、前記番組情報取得手段によって取得された番組情報で示される番組と同一の番組の放送番組データであって、同番組情報で示される放送日時よりも新しい放送日時の放送番組データを前記記憶装置から前記外部デバイスに転送する自動転送手段と、を具備することを特徴とする。
【００１１】
また、この発明の情報処理装置は、放送番組データを格納する記憶装置と、外部デバイスとの通信を実行する通信装置と、前記通信装置との間で接続が確立された外部デバイスから当該外部デバイスが保持する放送番組データの番組情報を取得する番組情報取得手段と、電子番組表を取得する番組表取得手段と、所望のチャンネルのテレビジョン放送信号を受信するためのチューナと、予め指定された日時に予め指定されたチャンネルのテレビジョン放送信号を前記チューナに受信させ、当該受信されたテレビジョン放送信号によって搬送される放送番組データを取得して前記記憶装置に格納する録画処理を実行する録画手段と、前記番組表取得手段によって取得された電子番組表の中から、前記番組情報取得手段によって取得された番組情報で示される番組を前記録画手段による録画処理の対象に設定する自動録画予約手段と、を具備することを特徴とする。
【００１２】
また、この発明のデータ転送制御方法は、放送番組データを格納する記憶装置と、外部デバイスとの通信を実行する通信装置とを有する情報処理装置におけるデータ転送制御方法であって、前記通信装置との間で接続が確立された外部デバイスから当該外部デバイスが保持する放送番組データの番組情報を取得すること、前記取得した番組情報で示される番組と同一の番組の放送番組データであって、同番組情報で示される放送日時よりも新しい放送日時の放送番組データを前記記憶装置から前記外部デバイスに転送すること、を具備することを特徴とする。
【発明の効果】
【００１３】
この発明によれば、各種設定作業等をユーザに強いることなく、ユーザがその時に必要としていると思われるコンテンツのみを転送すること等を可能とした情報処理装置および情報処理装置におけるデータ転送制御方法を提供することができる。
【図面の簡単な説明】
【００１４】
【図１】本発明の実施形態に係る情報処理装置の利用法の一例を示す図。
【図２】同実施形態の情報処理装置のシステム構成を示す図。
【図３】同実施形態の情報処理装置上で動作するＴＶアプリケーションプログラムが備える自動転送／自動録画予約制御モジュールの動作原理を説明するための概念図。
【図４】同実施形態の情報処理装置上で動作するＴＶアプリケーションプログラムが備える自動転送／自動録画予約制御モジュールがユーザに提示する設定画面の一例を示す図。
【図５】同実施形態の情報処理装置が実行する自動転送処理の動作手順を示すフローチャート。
【図６】同実施形態の情報処理装置が実行する自動録画予約処理の動作手順を示すフローチャート。
【発明を実施するための形態】
【００１５】
以下、図面を参照して、この発明の一実施形態を説明する。
【００１６】
図１は、この発明の実施形態に係る情報処理装置１の利用法の一例を示す図である。ここでは、本情報処理装置１は、ノートブックタイプのパーソナルコンピュータとして実現されている。
【００１７】
この情報処理装置１には、近接無線通信用のアンテナ（カプラ）２２ａが設けられており、例えば、同じくカプラ２２ｂが設けられた携帯電話機２（外部デバイス）を、双方のカプラ２２ａ，２２ｂを接触させるように、情報処理装置１にかざすタッチ操作を行うだけで、情報処理装置１と携帯電話機２との間のデータ転送を実行させることができる。
【００１８】
また、情報処理装置１は、テレビジョン放送信号によって搬送される放送番組データを視聴、録画および再生するＴＶ機能を搭載しており、一方、携帯電話機２は、動画像コンテンツを再生する機能を搭載している。従って、情報処理装置１で録画した放送番組データを携帯電話機２に取り込めば、当該放送番組データを携帯電話機２で視聴することができる。
【００１９】
そして、本実施形態の情報処理装置１は、例えば、ユーザが、この”かざす”というタッチ操作を行うだけで、当該ユーザがその時に（携帯電話機２側で）必要としているコンテンツ（放送番組データ）を、情報処理装置１に存在するコンテンツの中から選出して携帯電話機２に転送すること等を実現したものであり、以下、この点について詳述する。
【００２０】
図２は、本情報処理装置１のシステム構成を示す図である。
【００２１】
図２に示すように、情報処理装置１は、ＣＰＵ（central processing unit）１１、ＭＣＨ（memory controller hub）１２、主メモリ１３、ＩＣＨ（i/o controller hub）１４、ＧＰＵ（graphics processing unit：表示コントローラ）１５、ビデオメモリ（ＶＲＡＭ）１５Ａ、ＬＣＤ（liquid crystal display）１６、サウンドコントローラ１７、スピーカ１８、ＢＩＯＳ（basic input/output system）−ＲＯＭ（read only memory）１７、ＨＤＤ（hard disk drive）２０、ＯＤＤ（optical disc drive）２１、近接無線通信デバイス２２、カプラ２２ａ、ＴＶチューナ２３、ＴＶ用入力端子２３ａ、ＥＥＰＲＯＭ（electrically erasable programmable ROM）２４、ＥＣ／ＫＢＣ（embedded controller/keyBoard controller）２５、キーボード２６およびポインティングデバイス２７等を備えている。
【００２２】
ＣＰＵ１１は、本情報処理装置１の動作を制御するプロセッサであり、ＨＤＤ２０やＯＤＤ２１から主メモリ１３にロードされる各種プログラムを実行する。このＣＰＵ１１によって実行される各種プログラムの中には、リソース管理を司るＯＳ１１０や、当該ＯＳ１１０の配下で動作する、後述する近接無線通信制御プログラム１２０およびＴＶアプリケーションプログラム１３０等が存在する。また、ＣＰＵ１１は、ＢＩＯＳ−ＲＯＭ１９に格納されたＢＩＯＳも実行する。ＢＩＯＳは、ハードウェア制御のためのプログラムである。
【００２３】
ＭＣＨ１２は、ＣＰＵ１１とＩＣＨ１４との間を接続するブリッジとして動作すると共に、主メモリ１３をアクセス制御するメモリコントローラとして動作する。また、ＭＣＨ１２は、ＧＰＵ１５との通信を実行する機能を有している。
【００２４】
ＧＰＵ１５は、本情報処理装置のディスプレイモニタとして使用されるＬＣＤ１６を制御する表示コントローラである。このＧＰＵ１５によって表示信号が生成されてＬＣＤ１６に供給される。ＧＰＵ１５は、ＶＲＡＭ１５Ａを有し、また、各種プログラムが表示しようとする画像をＣＰＵ１１に代わって描画するアクセラレータを搭載する。
【００２５】
ＩＣＨ１４は、ＨＤＤ２０およびＯＤＤ２１を制御するためのＩＤＥ（Integrated Device Electronics）コントローラを内蔵する。ＩＣＨ１４は、ＰＣＩ（Peripheral Component Interconnect）バス上の各デバイスおよびＬＰＣ（Low Pin Count）バス上の各デバイスを制御する。また、ＩＣＨ１４は、サウンドコントローラ１７および近接無線通信デバイス２２との通信を実行する機能も有している。
【００２６】
サウンドコントローラ１７は音源デバイスであり、各種プログラムが再生対象とするオーディオデータをスピーカ１８に出力する。
【００２７】
近接無線通信デバイス２２は、近接無線通信を実行する通信モジュールである。近接無線通信デバイス２２は、所定の距離内に存在する、近接無線通信機能を有する携帯電話機２等の他のデバイス（外部デバイス）との無線接続を確立し、データファイル送受信等の通信を実行する。近接無線通信デバイス２２と外部デバイスとの間の近接無線通信は、ピアツーピア形式で実行される。通信可能距離は例えば３ｃｍである。つまり、近接無線通信デバイス２２と外部デバイスとの間（アンテナであるカプラ間）の距離が例えば３ｃｍ以内に接近した場合にのみ、近接無線通信デバイス２２と外部デバイスとの間の無線接続が可能となる。近接無線通信デバイス２２と外部デバイスとが通信可能距離以内に接近した時、近接無線通信デバイス２２と外部デバイスとの間の無線接続が確立される。前述の近接無線通信制御プログラム１２０は、この近接無線通信デバイス２２を制御するためのプログラムである。
【００２８】
近接無線通信においては、誘導電界が用いられる。近接無線通信方式としては、例えばTransferJetを使用し得る。TransferJetは、ＵＷＢ（Ultra WideBand）を利用した近接無線通信方式であり、高速データ転送を実現することができる。
【００２９】
近接無線通信デバイス２２はカプラ２２ａに接続されている。カプラ２２ａは電極であり、誘導電界を用いた無線信号により、外部デバイスに対するデータの送受信を行う。外部デバイス側のカプラがカプラ２２ａから通信可能距離（例えば３ｃｍ）以内の範囲内に接近した場合、近接無線通信デバイス２２および外部デバイスそれぞれのカプラ間が誘導電界によって結合され、これによって近接無線通信デバイス２２と外部デバイスとの間の無線通信が実行可能となる。
【００３０】
ＴＶチューナ２３は、テレビジョン放送信号によって搬送される放送番組データを受信する受信装置であり、ＴＶ用入力端子２３ａに接続されている。放送番組データを搬送するテレビジョン放送信号は、放送波によって放送されるほか、インターネット動画配信サービスによっても配信され得る。前述のＴＶアプリケーションプログラム１３０は、このＴＶチューナ２３を用いて、放送番組データを視聴、録画および再生するＴＶ機能を実現するためのプログラムである。ＴＶアプリケーションプログラム１３０は、録画した放送番組データを格納するための録画領域を例えばＨＤＤ２０内に確保する。
【００３１】
ＥＥＰＲＯＭ２４は、例えば本情報処理装置１の識別情報や環境設定情報などを格納するためのメモリデバイスである。そして、ＥＣ／ＫＢＣ２５は、電力管理を行うためのエンベデッドコントローラと、キーボード２６またはポインティングデバイス２７の操作によるデータ入力を制御するためのキーボードコントローラとが集積された１チップＭＰＵ（micro processing unit）である。
【００３２】
以上のようなシステム構成を有する本情報処理装置１上で動作するＴＶアプリケーションプログラム１３０は、図２に示すように、自動転送／自動録画予約制御モジュール１３１を備えている。ＴＶアプリケーションプログラム１３０は、常駐プログラムとして本情報処理装置１に組み込まれており、自動転送／自動録画予約制御モジュール１３１は、近接無線通信デバイス２２と外部デバイスとの間の無線接続が確立された際、その旨を通知することを予め近接無線通信制御プログラム１２０に要求する。そして、自動転送／自動録画予約制御モジュール１３１は、この近接無線通信制御プログラム１２０からの通知を受け取ったことを契機に、外部デバイスに対するコンテンツの自動転送等の処理を実行する。
【００３３】
図３は、この自動転送／自動録画予約制御モジュール１３１の動作原理を説明するための概念図である。
【００３４】
本情報処理装置１および携帯電話機２のユーザは、ニュース番組やドラマ番組等、日次や週次などで繰り返し放送される地上デジタル放送番組をいくつか視聴している。ここでは、説明を分かり易くするために、図３に示す「地デジ番組Ａ」という１つの番組を視聴しているものとする。
【００３５】
この「地デジ番組Ａ」は、例えば毎朝放送されるニュース番組であり、ユーザは、このニュース番組を情報処理装置１で録画し、そのデータを携帯電話機２に取り込んで通勤中に視聴したいと考えている。そこで、ユーザは、まず、この「地デジ番組Ａ」を情報処理装置１で録画し、その録画データを携帯電話機２に取り込む作業を行う。
【００３６】
携帯電話機２に録画データが取り込まれている番組は、ユーザが携帯電話機２で視聴している番組である。つまり、情報処理装置１上で動作するＴＶアプリケーションプログラム１３０の録画処理によって例えばＨＤＤ２０に格納された数多くの放送番組データのうち、過去放送分の放送番組データが携帯電話機２に存在する番組の放送番組データは、ユーザが、携帯電話機２側で必要としている放送番組データであると推定することが可能である。図３に示す例で、より具体的に言えば、携帯電話機２に「２００９年１２月１日」に放送された「地デジ番組Ａ」の放送番組データが存在し、かつ、情報処理装置１のＨＤＤ２０に「２００９年１２月２日」に放送された「地デジ番組Ａ」の放送番組データが存在した場合、この情報処理装置１のＨＤＤ２０に存在する、「２００９年１２月２日」に放送された「地デジ番組Ａ」の放送番組データは、ユーザが、携帯電話機２に取り込みたいと考える放送番組データであると推定できる。
【００３７】
この点を考慮して、自動転送／自動録画予約制御モジュール１３１は、近接無線通信デバイス２２と外部デバイス（携帯電話機２）との間の無線接続が確立された旨の通知を近接無線通信制御プログラム１２０から受けると、携帯電話機２に対して、その時に保有している放送番組データの番組情報を転送することを要求し、携帯電話機２側が保有する放送番組データの番組情報を取得する（図３の（１））。
【００３８】
番組情報には、「番組名（番組識別情報）」と「放送日時（録画日時）」とが含まれており、携帯電話機２が保有する放送番組データの番組名を取得した自動転送／自動録画予約制御モジュール１３１は、同一番組の放送番組データであって、かつ、携帯電話機２が保有する放送番組データよりも放送日時の新しい放送番組データが存在しないかＨＤＤ２０内を検索する（図３の（２））。
【００３９】
もし、同一番組かつ放送日時の新しい放送番組データが検出されたら、自動転送／自動録画予約制御モジュール１３１は、その放送番組データをＨＤＤ２０から読み出し（図３の（３））、携帯電話機２へと転送する（図３の（４））。これにより、ユーザは、最初に１度だけ所望の放送番組データを情報処理装置１から携帯電話機２に取り込む作業を行えば、以降、携帯電話機２を情報処理装置１にかざすタッチ操作を行うだけで、新たに録画された放送番組データを取り込んで行くことができる。
【００４０】
また、ＴＶアプリケーションプログラム１３０は、例えばテレビジョン放送信号によって適宜に付加情報として搬送される電子番組表を受信する。自動転送／自動録画予約制御モジュール１３１は、この電子番組表を利用して、携帯電話機２から取得した番組情報に含まれる番組名と一致する番組の放送予定がないかを調べる。電子番組表に該当の番組が存在した場合、自動転送／自動録画予約制御モジュール１３１は、続いて、その番組がＴＶアプリケーションプログラム１３０で録画予約されているか否かを調べる。そして、録画予約がされていなければ、自動転送／自動録画予約制御モジュール１３１は、その番組の録画予約をＴＶアプリケーションプログラム１３０に行わせる（図３の（５））。
【００４１】
これにより、ユーザは、情報処理装置１から携帯電話機２に放送番組データを取り込んだ番組の録画予約を、携帯電話機２を情報処理装置１にかざすタッチ操作を行うだけで行うことができる。日次や週次などの番組であれば、情報処理装置１上で動作するＴＶアプリケーションプログラム１３０で定期的に録画を行うように録画予約設定を行うこともできるわけであるが、このタッチ操作による自動録画予約は、その時点で最新の電子番組表を用いて実施されるため、放送時間が頻繁に変更される番組や、不定期に放送される番組などについて特に有効である。
【００４２】
また、図４は、自動転送／自動録画予約制御モジュール１３１がユーザに提示する設定画面の一例を示す図である。
【００４３】
自動転送／自動録画予約制御モジュール１３１は、この図４に示した設定画面を提示することによって、第１に、携帯電話機２に存在する放送番組データよりも放送日時の新しい（同一番組の）放送番組データが情報処理装置１に複数存在した場合、それらをどのような規則で携帯電話機２に転送すべきかをユーザが設定することを可能とする。
【００４４】
転送対象の放送番組データが複数存在する場合とは、典型的には、ある番組を定期的に録画するように録画予約設定が行われた状態で、その放送周期の２回分を越えて取り込み操作（タッチ操作）が行われなかった場合であるが、例えばニュース番組であれば、最新のものだけを視聴できれば良いと考えるユーザも多いと思われる。また、例えばドラマ番組であれば、順を追って視聴したいと考えるのが一般的ではあるが、携帯電話機２に搭載される記憶メディアの容量に応じて、すべてを一括して転送したいと考えるユーザもいれば、その中で放送日時の最も古いものを転送したいと考えるユーザもいると思われる。
【００４５】
そこで、自動転送／自動録画予約制御モジュール１３１は、図４に示すように、「すべて」、「放送（録画）日時の最も新しいもの」、「放送（録画）日時の最も古いもの」のいずれかをユーザが設定するためのインタフェースを備え、その設定に基づき、携帯電話機２に対する放送番組データの自動転送を実行する。
【００４６】
例えば「放送（録画）日時の最も新しいもの」が選択されて設定が行われた場合、最新の放送日時の「地デジ番組Ａ」の放送番組データが携帯電話機２に転送される。その後、タッチ操作が行われた際には、前回のタッチ操作時に転送が行われなかった「地デジ番組Ａ」の放送番組データは、携帯電話機２に存在する「地デジ番組Ａ」の放送番組データよりも放送日時の新しい放送番組データではなくなっている。よって、もはや転送対象となることはない。
【００４７】
「放送（録画）日時の最も新しいもの」が選択されて設定が行われた場合には、最も放送日時の古い「地デジ番組Ａ」の放送番組データが携帯電話機２に転送される。その後、タッチ操作が行われた際には、前回のタッチ操作時に転送が行われなかった「地デジ番組Ａ」の放送番組データのすべてが、携帯電話機２に存在する「地デジ番組Ａ」の放送番組データよりも放送日時の新しい放送番組データであり続けている。よって、すべてが転送対象となり、その中で最も放送日時の古い「地デジ番組Ａ」の放送番組データが次いで転送されることになる。
【００４８】
なお、自動転送／自動録画予約制御モジュール１３１は、この自動転送機能を無効にする設定も受け付け可能である。
【００４９】
また、この図４に示した設定画面を提示することによって、自動転送／自動録画予約制御モジュール１３１は、第２に、自動録画予約機能の有効／無効をユーザが設定することを可能とする。つまり、ユーザは、自動転送／自動録画予約制御モジュール１３１が提供する自動転送機能および自動録画予約機能の一方のみを利用するための設定を行うことができる。
【００５０】
図５は、本情報処理装置１が実行する自動転送処理の動作手順を示すフローチャートである。
【００５１】
自動転送／自動録画予約制御モジュール１３１は、まず、保有しているコンテンツ（放送番組データ）の番組情報を外部デバイスから取得する（ステップＡ１）。この取得した番組情報に基づき、自動転送／自動録画予約制御モジュール１３１は、録画領域から同名の番組を検索する（ステップＡ２）。
【００５２】
録画日時の新しい同名のコンテンツが存在した場合（ステップＡ３のＹＥＳ）、自動転送／自動録画予約制御モジュール１３１は、転送すべきコンテンツを選定し（ステップＡ４）、その選定したコンテンツを外部デバイスに転送する（ステップＡ５）。
【００５３】
また、図６は、本情報処理装置１が実行する自動録画予約処理の動作手順を示すフローチャートである。
【００５４】
自動転送／自動録画予約制御モジュール１３１は、まず、保有しているコンテンツ（放送番組データ）の番組情報を外部デバイスから取得する（ステップＢ１）。この取得した番組情報に基づき、自動転送／自動録画予約制御モジュール１３１は、電子番組表から同名の番組を検索する（ステップＢ２）。
【００５５】
自動転送／自動録画予約制御モジュール１３１は、検出した番組が録画予約済みか否かを調べ（ステップＢ３）、録画予約済みでなければ（ステップＢ３のＮＯ）、この番組の録画予約を設定する（ステップＢ４）。
【００５６】
以上のように、本情報処理装置１によれば、（携帯電話機２を情報処理装置１にかざすタッチ操作を行うだけで）各種設定作業等をユーザに強いることなく、ユーザがその時に必要としていると思われるコンテンツのみを転送すること等を可能とする。
【００５７】
ところで、前述の実施形態では、携帯電話機２で保有される放送番組データに基づき、情報処理装置１が保有する数多くの放送番組データの中から、ユーザが（携帯電話機２側で）必要としていると思われる放送番組データを選定して転送する例を説明したが、さらに、この放送番組データの自動転送時、放送番組データの自動削除を併せて行うようにすることも可能である。
【００５８】
例えば、ＨＤＤ２０から読み出して携帯電話機２に転送した放送番組データをＨＤＤ２０から削除するようにしてもよいし（いわゆる移動）、また、携帯電話機２で保有される放送番組データよりも放送日時の新しい同一番組の放送番組データを転送した後、元々携帯電話機２で保有されていた放送日時の古い放送番組データを削除することを携帯電話機２に要求するようにしてもよい。さらに、この放送番組データの自動削除に関しても、自動転送／自動録画予約制御モジュール１３１が設定用のインタフェースを提供し、ＨＤＤ２０からの放送番組データの削除の有無、携帯電話機２からの放送番組データの削除の有無をユーザが設定できるようにすることも有用である。
【００５９】
つまり、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００６０】
１…情報処理装置、２…携帯電話機、１１…ＣＰＵ、１２…ＭＣＨ、１３…主メモリ、１４…ＩＣＨ、１５…ＧＰＵ、１５Ａ…ビデオメモリ（ＶＲＡＭ）、１６…ＬＣＤ、１７…サウンドコントローラ、１８…スピーカ、１９…ＢＩＯＳ−ＲＯＭ、２０…ＨＤＤ、２１…ＯＤＤ、２２…近接無線通信デバイス、２２ａ，２２ｂ…アンテナ（カプラ）、２３…ＴＶチューナ、２３ａ…ＴＶ用入力端子、２４…ＥＥＰＲＯＭ、２５…ＥＣ／ＫＢＣ、２６…キーボード、２７…ポインティングデバイス、１１０…ＯＳ、１２０…近接無線通信制御プログラム、１３０…ＴＶアプリケーションプログラム、１３１…自動録画予約制御モジュール。
【図１】
2011166688.tif 000003
【図２】
2011166688.tif 000004
【図３】
2011166688.tif 000005
【図４】
2011166688.tif 000006
【図５】
2011166688.tif 000007
【図６】
2011166688.tif 000008